(57)【要約】【課題】ＦＰＣの使用材料費を安くできるバックライト構造を提供する。【解決手段】液晶表示装置の下面側に導光板とＬＥＤを備え、帯状のＦＰＣを前記液晶表示装置に装着して液晶表示駆動を行うバックライト付液晶表示装置において、前記ＦＰＣ３１は帯の片端から横に枝状に張り出した略Ｔの字形又は鉤の字形の突出部３１ｅを有し、該Ｔの字形又は鉤の字形の突出部３１ｅの先端部３１ｇ側に少なくとも一個のＬＥＤ３４を配設し、該突出部３１ｅを９０度にひねって曲げ、突出部３１ｅの先端部３１ｇ側に配設したＬＥＤ３４を前記導光板の側面に配置する。【選択図】        図２
2005003882.tif 000002
【特許請求の範囲】
【請求項１】
液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度にひねり曲げて、突出部の先端部側に配設したＬＥＤを前記導光板の側面に配置したことを特徴とするバックライト付液晶表示装置。
【請求項２】
液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度に湾曲させて、突出部の先端部側に配設したＬＥＤを前記導光板の側面に配置したことを特徴とするバックライト付液晶表示装置。
【請求項３】
前記導光板は保持枠を介して前記液晶表示素子の下面側に配置され、前記突出部の先端部側に配設したＬＥＤを前記保持枠の下面側に設けた反射体の開口部から突出させて前記導光板の側面に配置したことを特徴とする請求項１又は２に記載のバックライト付液晶表示装置。
【請求項４】
前記ＬＥＤを配設した突出部の先端部は粘着テープを介して前記保持枠と反射体に固定ししたことを特徴とする請求項１、２、３のいずれかに記載のバックライト付液晶表示素子。
【発明の詳細な説明】
【０００１】
【発明の属する技術分野】
本発明は、バックライト付液晶表示装置のバックライトの取付構造に関する。
【０００２】
【従来の技術】
従来、液晶表示装置のバックライト構造に関し、表示装置によって色々な構造のものが用いられている。その一つに、下記の特許文献１に技術開示された構造のものがある。
【０００３】
【特許文献１】
特開２００１−２６４７５１号公報
【０００４】
図９は従来技術である上記特許文献１に示されたバックライト付液晶表示装置を展開した平面図、図１０は、同じく、液晶表示装置の裏面を示す平面図、図１１は、同じく、バックライト付液晶表示装置の要部断面図、図１２は液晶表示装置の要部断面図を示したものである。
【０００５】
図９、図１０、図１１、図１２より、このバックライト付液晶表示装置２０のバックライト構造は、ドライバＩＣ２ａ、２ｂを実装した液晶表示装置１０にＬＥＤチップ４を２個実装したＦＰＣ（Ｆｌｅｘｉｂｌｅ  Ｐｒｉｎｔ  Ｃｉｒｃｕｉｔ）３が取付いていて、ＦＰＣ３を折り曲げて液晶表示装置１０の裏面側に配設した導光部材７の裏面側に回し込んでいる。そして、ＦＰＣ３に実装したＬＥＤチップ４をちょうど導光部材７の側面に配置する構造になっている。この導光部材７は導光板と光反射シートとプリズムシートから成っており、側面から入射したＬＥＤチップ４の光が導光部材７の上面側に放射して液晶表示装置１０を照明する構造となっている。
【０００６】
ＦＰＣ３は、液晶表示装置１０と接合する接合部３ａとプリント基板（図中略）と接続するためのコネクタ用端子部３ｂを有しており、更に、このＦＰＣ３は両面配線タイプになっていて、上面側にはＬＥＤチップ４が２個、下面側には各種の回路部品５ａ、５ｂ、５ｃなどが実装されている。
【０００７】
また、液晶表示装置１０は、上面に信号電極１２ａを形成した信号基板１１ａと下面に走査電極１２ｂを形成した走査基板１１ｂとが対向して配置されており、シール材１５を介して液晶材料１３を封入した構造になっている。また、信号基板１１ａには延設部１１ａ１を有し、その延設部１１ａ１にＦＰＣ接続端子１６が形成され、更に、ドライバＩＣ２ａが実装されている。ＦＰＣ３はＦＰＣ接続端子１６と異方性導電膜を介して取付けられるようになっている。また、信号基板１１ａの下面には偏光板・位相差板１７ａが、走査基板１１ｂの上面には偏光板・位相差板１７ｂが設けられている。
【０００８】
【発明が解決しようとする課題】
図１３は、上記のように２個のＬＥＤチップ４を帯状のＦＰＣ３上に並列的に配設した場合の導通パターンの構造を示したものである。帯状のＦＰＣ３の両側にＬＥＤチップ４が２個取付けられており、ＬＥＤチップ４用の導通パターン３ｄがそれぞれ２本設けられている。ＬＥＤチップ４用の導通パターン３ｄの内側にある複数の導通パターン３ｃは液晶表示装置１０と接続する導通パターンである。通常、複数のＬＥＤチップを帯状のＦＰＣ上に並列的に複数配設した場合、ＬＥＤチップ毎にそれぞれ２本の導通パターンを設ける必要がある。即ち、ＬＥＤチップを２個配設すれば４本の導通パターンが、４個配設すれば８本の導通パターンが必要となる。
【０００９】
このことは、ＦＰＣの帯の幅Ｍを広くすることになってＦＰＣのコストを高くする。また、ＦＰＣの占有スペースも広く取り、小型化を図る上では阻害要因になる。
【００１０】
【課題を解決するための手段】
本発明は上記課題に鑑みて成されたもので、その目的とするところは、使用材料を少なくすると共に簡単なバックライト構造にして安いコストで製造すること、また、省スペースで使用可能なバックライト付液晶表示装置を得るものである。この目的を達成する手段として、本発明の請求項１に係る発明は、液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度にひねり曲げて、突出部の先端部側に配設したＬＥＤを前記導光板の側面に配置したことを特徴とするものである。
【００１１】
また、本発明の請求項２に係る発明は、液晶表示装置の下面側に導光板とＬＥＤを備え、帯状のＦＰＣを前記液晶表示装置に装着して液晶表示駆動を行うバックライト付液晶表示装置において、前記ＦＰＣは帯の片端から横に枝状に張り出した略Ｔの字形又は鉤の字形の突出部を有し、該Ｔの字形又は鉤の字形の突出部の先端部側に少なくとも一個のＬＥＤを配設し、該突出部を９０度に湾曲させて、突出部の先端部側に配設したＬＥＤを前記導光板の側面に配置したことを特徴とするものである。
【００１２】
また、本発明の請求項３に係る発明は、前記導光板は保持枠を介して前記液晶表示素子の下面側に配置され、前記突出部の先端部側に配設したＬＥＤを前記保持枠の下面側に設けた反射体の開口部から突出させて前記導光板の側面に配置したことを特徴とするものである。
【００１３】
また、本発明の請求項４に係る発明は、前記ＬＥＤを配設した突出部の先端部は粘着テープを介して前記保持枠と反射体に固定ししたことを特徴とするものである。
【００１４】
【発明の実施の形態】
以下、本発明の実施の形態を図１〜図８を用いて説明する。図１は本発明の第１実施形態に係るバックライト付液晶表示装置の要部断面図、図２は図１におけるＦＰＣの展開平面図、図３は図２におけるＦＰＣを折り曲げたときの平面図、図４は図１におけるＦＰＣのみを取り出して示した要部斜視図を示したものである。また、図５は本発明の第２実施形態に係るバックライト付液晶表示装置に使用するＦＰＣの展開平面図、図６は図５におけるＦＰＣを折り曲げたときの平面図を示したものである。また、図７は本発明の第３実施形態に係るバックライト付液晶表示装置に使用するＦＰＣの展開平面図、図８は図７におけるＦＰＣを折り曲げたときの平面図を示したものである。
【００１５】
図１に示すように、本発明の第１実施形態に係るバックライト付液晶表示装置５０は、液晶表示装置１０の下面に光の拡散シート４２、導光板４３、光の反射体４４が積層して配設されている。そして、これらの構成部品を保持枠４１でもって保持固定している。また、ここでの反射体４４は保持枠４１の下面に接着剤を介して接着固定されている。また、液晶表示装置１０にはＦＰＣ３１が異方導電接着剤を介して接着固定されている。ここでの液晶表示装置は従来例で示した液晶表示装置１０と同じ構成を取っている。また、ＦＰＣ３１の接着部位も従来例と同じになっている。
【００１６】
上記ＦＰＣ３１は図２に示す形状を取っている。このＦＰＣ３１は、点線枠Ｃで囲った部分の、表示装置１０に導通する複数の導通パターン３１ｃを縦長に整列形成した帯状のパターン集合部と、この帯状のパターン集合部の片端から横に枝状に張り出した、点線枠Ｄで囲った部分の、略Ｔの字形の突出部３１ｅとから成っている。また、突出部３１ｅは枝元部３１ｆと先端部３１ｇから成り、枝元部３１ｆと先端部３１ｇでもって略Ｔの字形の形状を作っている。そして、先端部３１ｇにはＬＥＤ３４が、本実施の形態では、４個並列して取付けてある。この４個のＬＥＤ３４には２本の導通パターン３１ｄが接続しており、その導通パターン３１ｄは突出部３１ｅの先端部３１ｇから枝元部３１ｆを通って帯状のパターン集合部に延びている。
【００１７】
図３はＦＰＣ３１の突出部３１ｅを折り曲げた状態を示している。点線丸枠Ｅで囲った部分が折り曲げ部で、枝元部３１ｆの部分を９０度にひねって曲げている。９０度にひねって曲げているので、図２でＦＰＣ３１の上面側に取り付けたＬＥＤ３４は図３では裏面側にくる。
【００１８】
図４はＦＰＣ３１を図１の如く組み付けたときにおけるＦＰＣ３１の要部斜視図を示したものである。枝元３１ｆを９０度にひねって湾曲するような形状に曲げると突出部３１ｅの先端部３１ｇに取付けたＬＥＤ３４は上面側に配置される。ＦＰＣ３１は略０．１３ｍｍの厚みであるので比較的自由にひねり曲げたり、折り曲げたりすることができる。
【００１９】
図１において、保持枠４１の下面に固定された反射体４４には開口部４４ａが設けられている。この開口部４４ａはＬＥＤ３４の個数分設けてある。この開口部４４ａに図４で示したＬＥＤ３４を差込んで、開口部４４ａから突出させることによってＬＥＤ３４を導光板４３の側面に配置する。
【００２０】
ＬＥＤ３４を反射体４４の開口部４４ａに差し込んだ後、ＬＥＤ３４が動かないように、ＬＥＤ３４を取付けた先端部３１ｇを片面粘着テープ４５で保持枠４１と反射体４４に固定している。
【００２１】
ここで、保持枠４１はプラスチック材料で成形したもので、反射率が高い白色樹脂などで形成するのが好ましい。光の拡散シート４２、導光板４３は公知のものを使用することができる。光の反射体４４は反射率を高めた薄い金属板、反射率の高い比較的剛性のあるフィルムシートなどが好適に使用できる。反射体４４に設ける開口部４４ａはＬＥＤ３４より僅かに大き目にしてＬＥＤ３４の個数分設けるのが良い。横長に１個設けることもできるが、光が外部に洩れやすいのでその面では好ましくない。
【００２２】
上記の構成を取るＦＰＣ３１の横幅Ｍは、図２において、Ｍ１＋Ｍ２＋Ｍ３の寸法値で設定される。Ｍ１は帯状のパターン集合部の幅で、液晶表示装置１０に導通する導通パターンの本数とＬＥＤ３４に導通する２本の導通パターンで決まり、ＬＥＤ３４の数に関係なくほぼ一定の寸法値に設定することができる。Ｍ２は枝元部３１ｆの長さを示すが、この長さは枝元部３１ｆの幅Ｒより大きいことが必要である。枝元部３１ｆの幅Ｒより小さいと９０度にひねり曲げることができない。枝元部３１ｆの幅Ｒは、２本の導通パターンを形成したものであるから、大きくても２．５〜３．０ｍｍの幅があれば十分である。従って、Ｍ２の寸法値は枝元部３１ｆの幅Ｒより僅かに大き目な寸法値に、即ち、３．０〜３．５ｍｍの範囲に設定することができる。次に、Ｍ３は先端部３１ｇの幅を示している。ＬＥＤ３４の幅とそれに並列的に導通させる２本の導通パターンの幅などを考慮して設計する。ＬＥＤ３４の幅はタイプによって異なるが、小さいもので０．８ｍｍ、大きいもので２．７ｍｍ位の幅である。従って、Ｍ３の寸法値を５．５〜６．０ｍｍ位に設計すれば２本の導通パターンや大き目のＬＥＤ３４を十分配置することができる。以上のことから、ＦＰＣ３１の横幅Ｍは、帯状のパターン集合部の幅Ｍ１に８．５〜９．５ｍｍプラスした幅ですむ。
【００２３】
従来技術で説明したＬＥＤの配置構造と比較すると、ＬＥＤを３個配置すると上記と略同じ幅となる。従って、ＬＥＤを４個以上配置する構造では本発明でのＦＰＣの方が幅を狭くできる。本発明のＦＰＣはＬＥＤの使用個数に関係なく一定の幅に仕上げることができる。従来のＦＰＣはＬＥＤの個数が増えればその分幅も広くなってコストも高くなるものであった。しかし、本発明のＦＰＣはＬＥＤの個数に関係なく一定のコストに押さえることができ、その分コストを下げることができる。
【００２４】
本実施形態においては、枝状の突出部３１ｅを図中帯状の導通パターン集合部の右端側に設けている。これを左端側に設けても同じ結果が得られる。
【００２５】
また、本実施形態においては、ＬＥＤを４個用いている。ＬＥＤが１個のものでも本発明のＦＰＣを使用することができる。従来例での複数本ある導通パターンの間にＬＥＤを取付ける構造は各々の導通パターンの形成する位置も全て変更しなければならない。これに対して、本発明のＦＰＣは突出部の大きさやＬＥＤの取付け位置だけを設定すれだけで良いので、比較的設計時間は短時間ですむ。また、標準化も図り易い。
【００２６】
また、本発明のバックライト構造は、枝状の突出部をひねり曲げて、そこに取付けてあるＬＥＤを上向きにし、反射体に設けた開口部にＬＥＤを差し込んで導光板の側面にＬＥＤを配置し、粘着テープで固定すると云う構造を取っている。構造そのものがシンプルであり、組立も簡単にできて、組立コストも安くできる。
【００２７】
更にまた、ＬＥＤを取付けた突出部の先端部は粘着テープで保持枠と反射体に一体的に固定している。従って、プリント基板（図示せず）まで引き回されるのはパターン集合部でなる一定幅の帯状のＦＰＣだけであるので多くのスペースを必要とせず、省スペースに向いたバックライト構造になっていると云える。
【００２８】
次に、図５と図６に示すものは、本発明の第２実施形態に係るＦＰＣの展開平面図と折り曲げたときの平面図を示したものである。ここでのＦＰＣ６１は、枝状に張り出した突出部６１ｅが鉤の字の形状をしている。突出部６１ｅは枝元部６１ｆと先端部６１ｇから成っており、枝元部６１ｆと先端部６１ｇとで鉤の字の形状を示している。また、先端部６１ｇにＬＥＤ６４が図中３個取付けてある。ＬＥＤ６４に導通する導通パターン６１ｄは前述の第１実施形態の導通パターンと同じような形状で形成している。突出部６１ｅの折り曲げ方は、前述の第１形態の折り曲げ方と同じで、枝元部６１ｆを９０度にひねって湾曲するような形状で曲げている。
【００２９】
液晶表示装置のＦＰＣ取付け部位が隅の方にある場合は、上記鉤の字形の突出部を持ったＦＰＣが効果的に利用できる。
【００３０】
次に、図７と図８に示すものは、本発明の第３実施形態に係るＦＰＣの展開平面図と折り曲げたときの平面図を示したものである。第３実施形態のＦＰＣ７１は、横に枝状に張り出した突出部７１ｅは略Ｔの字形を成しており、枝元部７１ｆと先端部７１ｇとから成っている。ここでの先端部７１ｇは枝元部７１ｆから図中上方側に伸びている。そして、この先端部７１ｇにＬＥＤ７４が４個取付けられている。尚、ＬＥＤ７４とこれに導通する導通パターンは裏面側に設けられている。裏面側に設けられているためにＬＥＤ７４のみ破線で描いており、導通パターンは描いていない。従って、このＦＰＣ７１は両面タイプのものを使用している。
【００３１】
図９に示すように、このＦＰＣ７１は、突出部７１ｅをそのまま９０度湾曲に曲げて使用する。図中点線丸枠Ｆが枝元部７１ｆを曲げた状態を示していて、板状の枝元部７１ｆの側面に沿って曲げるため、曲げられる内側の辺７１ｆ１は中央部に行くに従って盛り上がって湾曲する。この盛り上がりを少しでも低く押さえるために、枝元部７１ｆの幅は出来るだけ狭くし、また、枝元部７１ｆの長さも少し長めに設計するのが好ましい。
【００３２】
このような形状を取るＦＰＣ７１を液晶表示装置に取付け、図１で示した構造と全く同じ構造で導光板の側面にＬＥＤを配置する。
【００３３】
本実施の形態でのＦＰＣ７１は、先端部７１ｇが図中上方に向かって伸びた形状を取る。従って、使用するＦＰＣの材料は少し長くなる。前述の第１の実施形態及び第２の実施形態のものより若干材料費はアップする。
【００３４】
しかしながら、取付けるＬＥＤの個数が多い場合には、従来例の構造のものよりはるかに安い材料費で製作することができる。
【００３５】
【発明の効果】
以上詳細に説明したように、帯状のＦＰＣに、横に枝状に張り出した略Ｔの字形或いは鉤の字形の突出部を設け、その突出部の先端部にＬＥＤを取付け、突出部を９０度にひねり曲げることによって、先端部に取付けたＬＥＤを導光板の側面に配置することができる。ＦＰＣをこのような形状にすることによって、ＦＰＣの使用材料幅を一定にし、ＬＥＤの取付け個数が多い場合にはＦＰＣの材料費を下げることができる。
【００３６】
また、液晶表示装置や導光板などを保持する保持枠の下面に光反射体を固定し、この反射体に開口部を設けて、この開口部からＦＰＣの突出部の先端部に取付けたＬＥＤを差し込んで導光板の側面にＬＥＤを配置する構造を取れば、少ない部品点数の中で効果的に導光板の側面にＬＥＤを配することができる。そして、ＬＥＤを取付けた先端部を粘着テープを介して保持枠と反射体に固定する構造にすることによって、ＬＥＤを確実に固定することができる。また、構造的にも簡単であるので組み立てコストも安くすることができる。また、省スペース向きのバックライト構造になっていると云える。
【図面の簡単な説明】
【図１】本発明の第１実施形態に係るバックライト付液晶表示装置の要部断面図である。
【図２】図１におけるＦＰＣの展開平面図である。
【図３】図２におけるＦＰＣを折り曲げたときの平面図である。
【図４】図１におけるＦＰＣのみを取り出して示した要部斜視図である。
【図５】本発明の第２実施形態に係るバックライト付液晶表示装置に使用するＦＰＣの展開平面図である。
【図６】図５におけるＦＰＣを折り曲げたときの平面図である。
【図７】本発明の第３実施形態に係るバックライト付液晶表示装置に使用するＦＰＣの展開平面図である。
【図８】図７におけるＦＰＣを折り曲げたときの平面図である。
【図９】従来技術のバックライト付液晶表示装置の展開平面図である。
【図１０】従来技術のバックライト付液晶表示装置の裏面を示す平面図である。
【図１１】従来技術のバックライト付液晶表示装置の要部断面図である。
【図１２】図９における液晶表示装置の要部断面図である。
【図１３】図９におけるＦＰＣの導通パターンの構造を示す要部平面図である。
【符号の説明】
１０      液晶表示装置
３１、６１、７１        ＦＰＣ
３１ｃ、６１ｃ、７１ｃ  導通パターン
３１ｄ、６１ｄ          導通パターン
３１ｅ、６１ｅ、７１ｅ  突出部
３１ｆ、６１ｆ、７１ｆ  枝元部
３１ｇ、６１ｇ、７１ｇ  先端部
３４、６４，７４        ＬＥＤ
４１      保持枠
４２      拡散シート
４３      導光板
４４      反射体
４４ａ    開口部
４５      粘着テープ
５０      バックライト付液晶表示装置
【図１】
2005003882.tif 000003
【図２】
2005003882.tif 000004
【図３】
2005003882.tif 000005
【図４】
2005003882.tif 000006
【図５】
2005003882.tif 000007
【図６】
2005003882.tif 000008
【図７】
2005003882.tif 000009
【図８】
2005003882.tif 000010
【図９】
2005003882.tif 000011
【図１０】
2005003882.tif 000012
【図１１】
2005003882.tif 000013
【図１２】
2005003882.tif 000014
【図１３】
2005003882.tif 000015